(57)【要約】【課題】補強材連結装置において、地盤を極力乱さずに地山補強材を打設するとともに、地山補強材の打設後に、地山補強材の回転を抑制して地盤との摩擦力を十分に発揮させ、しかも、簡易な施工を可能とすることにある。【解決手段】地山補強材（６）を補強材打設機（１０）で地盤（２）に打設した後で、地盤（２）の壁面（３）から突出した地山補強材（６）の頭部（６Ｈ）には、地山補強材（６）が回転して抜け出るのを阻止する回転阻止機構（１１）を設けている。【選択図】図１
2013124497.tif 000002
【特許請求の範囲】
【請求項１】
螺旋状の形状を有する地山補強材を補強材打設機の駆動によって支持部材のスリット部に所定の回転量且つ所定の貫入量で打撃貫入しつつ地盤に打設する補強材連結装置において、前記地山補強材を前記地盤に打設した後で、前記地盤の壁面から突出した前記地山補強材の頭部には、前記地山補強材が回転して抜け出るのを阻止する回転阻止機構を設けたことを特徴とする補強材連結装置。
【請求項２】
前記回転阻止機構は、前記地山補強材の頭部に連結されて前記支持部材に接合する接合部材と、この接合部材と前記支持部材とを係止する係止部材とからなることを特徴とする請求項１に記載の補強材連結装置。
【発明の詳細な説明】
【技術分野】
【０００１】
この発明は、補強材連結装置に係り、特に構築構造において地山補強材（アンカー）を地盤に打設して設置する補強材連結装置に関する。
【背景技術】
【０００２】
道路、擁壁等の地盤の安定化を図るための構築構造において、地盤に打設した螺旋状の地山補強材（アンカー）を複数本設置したものがある。
この地山補強材は、地盤中に打設され、地盤の壁面から突出した頭部に受圧板等の表面材を連結させている。これにより、地盤が変形しようとする力を、表面材で受け持たせて頭部を通じて、地山補強材の軸部に伝達させ、地山補強材と地盤との摩擦力で抵抗を生じさせて地盤の崩壊を抑制している。
【先行技術文献】
【特許文献】
【０００３】
【特許文献１】特開平１１−１８１７７０号公報
【０００４】
特許文献１に記載のアンカー打ち込み装置は、外周面にスクリューを有する筒状のアンカーを回転させながら地盤に押し込む回転押込装置を備えるとともに、この回転押込装置にセットされたアンカーの中からアンカーの下方を掘削する掘削装置を備えたものである。
【発明の概要】
【発明が解決しようとする課題】
【０００５】
ところが、従来、地山補強材の打設の際に、所定の貫入量に対して所定の回転量を維持できない場合に、地山補強材の周囲の地盤が乱れ、地山補強材と地盤との摩擦力を十分に発揮できなかった。
また、頭部で引抜きの作用力を受ける地山補強材が回転をしつつ引抜けるため、地山補強材と地盤との摩擦力を十分に発揮させることが困難であった。
【０００６】
そこで、この発明は、地盤を極力乱さずに地山補強材を打設するとともに、この地山補強材の打設後に、地山補強材の回転を抑制して地盤との摩擦力を十分に発揮させ、しかも、簡易な施工を可能とする補強材連結装置を提供することを目的とする。
【課題を解決するための手段】
【０００７】
この発明は、螺旋状の形状を有する地山補強材を補強材打設機の駆動によって支持部材のスリット部に所定の回転量且つ所定の貫入量で打撃貫入しつつ地盤に打設する補強材連結装置において、前記地山補強材を前記地盤に打設した後で、前記地盤の壁面から突出した前記地山補強材の頭部には、前記地山補強材が回転して抜け出るのを阻止する回転阻止機構を設けたことを特徴とする。
【発明の効果】
【０００８】
この発明の補強材連結装置は、地盤を極力乱さずに地山補強材を打設するとともに、この地山補強材の打設後に、地山補強材の回転を抑制して地盤との摩擦力を十分に発揮させ、しかも、簡易な施工を可能とする。
【図面の簡単な説明】
【０００９】
【図１】図１は地盤に複数の地山補強材（アンカー）を打設して設置した道路の断面図である。（実施例）
【図２】図２は地山補強材の側面図である。（実施例）
【図３】図３は地山補強材の斜視図である。（実施例）
【図４】図４は支持部材の平面図である。（実施例）
【図５】図５は補強材打設機によって地山補強材を支持部材のスリット部に貫入させる際の平断面図である。（実施例）
【図６】図６は補強材打設機によって地山補強材を支持部材のスリット部に貫入させる際の縦断面図である。（実施例）
【図７】図７は地山補強材の頭部に回転阻止機構を設けた状態の正面図である。（実施例）
【図８】図８は地山補強材の斜視図である。（変形例１）
【図９】図９は地山補強材の一部断面図である。（変形例２）
【発明を実施するための形態】
【００１０】
この発明は、地盤を極力乱さずに地山補強材を打設するとともに、この地山補強材の打設後に、地山補強材の回転を抑制して地盤との摩擦力を十分に発揮させ、しかも、簡易な施工を可能とする目的を、地盤の表面から突出した地山補強材の頭部に、地山補強材が回転して抜け出るのを阻止する回転阻止機構を設けて実現するものである。
【実施例】
【００１１】
図１〜図７は、この発明の実施例を示すものである。
図１において、１は構築構造で形成される、例えば道路、２は地盤、３はこの地盤２の壁面、４は補強材連結装置である。
この補強材連結装置４において、地盤２には、強度向上のために、壁面３に固定される支持部材５を介して複数本の地山補強材（アンカー）６が上下方向且つ左右方向で所定間隔に押し込まれて設置される。
【００１２】
支持部材５は、図４に示すように、例えば、１つの支持部材５に対して隣り合う２本の地山補強材６を連結するように、所定長さ且つ所定幅の細長い薄板によって形成され、両端に一対のスリット部７・７を備える。
また、支持部材５には、一端側のスリット部７の近傍で一対の係止用孔８・８と、他端側のスリット部７の近傍で一対の係止用孔８・８とが形成されている。
なお、１つの支持部材５に対して１本の地山補強材６を配置する構成とすることも可能である。
【００１３】
地山補強材６は、図２、図３に示すように、所定長さのアンカースクリュー部９を備える。このアンカースクリュー部９は、細長く且つ薄い一枚の金属板をねじった所定ピッチの螺旋形状に形成されている。
【００１４】
スリット部７は、図５、図６に示すように、アンカースクリュー部９を嵌入通過させるものであって、所定の幅Ｗで且つ所定の高さＨの長方形状に形成されている。従って、アンカースクリュー部９の螺旋形状によって、スリット部７を通過するアンカースクリュー部９の回転量と貫入量とが自動的に決定される。
【００１５】
補強材連結装置４においては、図５、図６に示すように、補強材打設機１０の駆動によって、つまり、打設（ハンマー式）あるいは押圧（油圧式）により、螺旋状の形状を有する地山補強材６を、支持部材５のスリット部７に所定の回転量且つ所定の貫入量で打撃貫入しつつ、地盤２の壁面３から押し込むものである。なお、補強材打設機１０は、設置台に載せて用いることも可能である。
【００１６】
補強材連結装置４には、図２に示すように、地山補強材６の回転阻止機構１１が設けられる。
この回転阻止機構１１は、地山補強材６を地盤２に打設した後で、地盤２の壁面３から突出した地山補強材６の頭部６Ｈに設けられ、地山補強材６が回転して抜け出るのを阻止するものである。
この回転阻止機構１１は、地山補強材６の頭部６Ｈに連結されて支持部材５に接合する接合部材１２と、この接合部材１２に形成した一対の挿通用孔１３・１３に挿通された後に地盤２中へ差し込まれて、接合部材１２と支持部材５とを係止する係止部材である止めピン１４とからなる。挿通用孔１３・１３は、支持部材５の係止用孔８・８に対応した位置に形成されている。なお、係止部材としては、止めピン１４の代わりに、くさび材等の他の部材を用いることも可能である。
【００１７】
次いで、この実施例に係る地山補強材６の施工方法について説明する。
先ず、支持部材５を壁面３に固定し、図５に示すように、支持部材５のスリット部７に地山補強材６のアンカースクリュー部９の前端を配置し、そして、アンカースクリュー部９に連結した接合部材１２を補強材打設機１０で打設する。
そうすると、図６に示すように、アンカースクリュー部９が、スリット部７の内周面に接して、所定の回転量且つ所定の貫入量で地盤２中に押し込まれる。
そして、地山補強材６の頭部６Ｈが地盤２の壁面３から突出した状態で、支持部材５の係止用孔８に接合部材１２の挿通用孔１３を重ね合わせ、回転阻止機構１１の止めピン１４を係止用孔８と挿通用孔１３とに挿通して壁面３から地盤２中に差し込むことにより、地山補強材６が回転するのを阻止することができる。
よって、一つの支持部材５により、隣り合う２本の地山補強材６、６を連結してその回転を阻止することができる。
【００１８】
この結果、この実施例によれば、地山補強材６の打設の際に、所定の貫入量に対して所定の回転量を維持させて地山補強材６の周囲の地盤が乱れるのを防止し、また、頭部６Ｈで引抜きの作用力を受けた際に地山補強材６の回転が阻止されることにため、地山補強材６と地盤２との摩擦力を十分に発揮させることができ、しかも、簡易な施工を可能とする。
【００１９】
なお、この実施例に係る地山補強材６の一の変形例（変形例１）としては、図８に示すように、地山補強材６の頭部６Ｈで折り曲げた接合部材としての接合用部１５を形成するとともに、この接合用部１５には支持部材５の係止用孔８に対応する挿通用孔１６を形成する。そして、地山補強材６の頭部６Ｈには、補強材打設機１０が当接する打力受部材１７を設けた。このような構造より、地山補強材６の構成を簡単とし、廉価とすることができる。
また、この実施例に係る地山補強材６の他の変形例（変形例２）としては、図９に示すように、地山補強材６の頭部６Ｈ側で、切欠き部１８を形成して曲げ突出部１９を弾性変形可能に設け、そして、この曲げ突出部１９の先端を支持部材５の内面に当接させる構造とする。なお、地山補強材６の頭部６Ｈには、打力受部材２０が設けられている。このような構造より、地山補強材６が地盤２から抜け出るのを効果的に防止することができる。
【産業上の利用可能性】
【００２０】
この発明に係る補強材連結装置を、道路以外の他の構築物にも適用できる。
【符号の説明】
【００２１】
１  道路
２  地盤
３  壁面
４  補強材連結装置
５  支持部材
６  地山補強材
７  スリット部
８  係止用孔
９  アンカースクリュ部
１０  補強材打設機
１１  回転阻止機構
１２  接合部材
１３  挿通用孔
１４  止めピン（係止部材）
【図１】
2013124497.tif 000003
【図２】
2013124497.tif 000004
【図３】
2013124497.tif 000005
【図４】
2013124497.tif 000006
【図５】
2013124497.tif 000007
【図６】
2013124497.tif 000008
【図７】
2013124497.tif 000009
【図８】
2013124497.tif 000010
【図９】
2013124497.tif 000011